(57)【要約】【課題】回転ドラムの回転時において、シート体が回転ドラム周方向に移動することが防止され、且つ、シート体の回転ドラム外周面からの浮き上がりが防止されるシート体保持装置を得る。【解決手段】シート体保持装置７０では、先端チャック３０の支軸３４が印刷版１２の「押付位置Ｐ」における回転ドラム２４の接線Ｔ上に配置されている。したがって、回転ドラム２４の高速回転時において、先端チャック３０の咥部３５による印刷版１２の押付力Ｆは、回転ドラム２４の軸心方向とほぼ同一方向に向かって作用する。これにより、印刷版１２が先端チャック３０の咥部３５により回転ドラム２４周方向に移動されることが確実に防止され、印刷版１２が回転ドラム２４周方向へ移動されることに起因する印刷版１２の回転ドラム２４外周面からの浮き上がりが防止される。【選択図】    図１
2004315134.tif 000002
【特許請求の範囲】
【請求項１】
シート体が巻き付けられる回転ドラムの外周面に支軸を支点として回転可能に支持され、常に前記回転ドラム側へ付勢された一端部が前記シート体の端部を前記回転ドラムの外周面に押し付けて保持するシート体保持装置において、
前記回転ドラム回転時における前記一端部による前記シート体の前記押付力をＦとし、前記押付力Ｆの前記回転ドラム接線方向に向いた分力をＦ１とし、前記押付力Ｆの前記回転ドラム軸心に向いた分力をＦ２とし、前記シート体と前記回転ドラム外周面との摩擦係数をμとするとき、
Ｆ１＜（Ｆ２×μ）
の関係が成り立つ位置に、前記支軸を配置した、
ことを特徴とするシート体保持装置。
【請求項２】
前記支軸を、前記シート体の前記押付位置における前記回転ドラムの接線上に配置した、
ことを特徴とする請求項１記載のシート体保持装置。
【発明の詳細な説明】
【０００１】
【発明の属する技術分野】
本発明は、シート体を回転部材の外周面に保持するシート体保持装置に関する。
【０００２】
【従来の技術】
支持体上に記録層（感光層）が設けられたシート状の印刷版（例えば、ＰＳ版、サーマルプレート、フォトポリマー版等）を用い、この印刷版の感光層に直接レーザビーム等で画像を記録する技術が開発されてきている（印刷版露光装置）。このような技術では、印刷版への迅速な画像記録が可能となっている。
【０００３】
このような印刷版露光装置としては、例えば、円柱状の回転ドラムに印刷版を巻き付けて固定し、回転ドラムを高速回転させた状態で、回転ドラムの近傍に配置された記録ヘッドにより露光処理を行うものがある（例えば、特許文献１参照）。
【０００４】
この特許文献１に開示されている印刷版露光装置では、回転ドラムの外周面には板状の先端チャックが、回転自在に支持されており、先端チャックの前端には回転ドラムから離間する方向へ弾性力が付与されている。また、回転ドラムの近傍には解除レバー（先端チャック開閉ユニット）が設けられており、この解除レバーが先端チャックの前端を回転ドラムの外周面に押圧することで、先端チャックの後端が回転ドラムの外周面から離間する。そして、先端チャックの後端と回転ドラムの外周面との間に印刷版の先端が搬送され、印刷版の先端が位置決め部材に突き当たることで印刷版の位置決めが行われる。
【０００５】
印刷版の先端が位置決めされると、解除レバーによる先端チャックの前端の押圧が解除されることで、前記弾性力によって先端チャックの後端が印刷版の先端を回転ドラムの外周面に押し付けて、回転ドラムの外周面に印刷版の先端が保持される。さらに、回転ドラムが回転されることで回転ドラムの外周面に印刷版が巻き付けられると共に、回転ドラムの外周面に後端チャックを取り付けることで後端チャックによって回転ドラムの外周面に印刷版の後端が保持される。
【０００６】
ところで、回転ドラムの高速回転時において、先端チャックの後端に保持された印刷版には、遠心力により先端チャックの後端に発生する押付力が作用する。
【０００７】
ここで、先端チャックの回転支点が、先端チャック後端の印刷版保持位置における回転ドラムの接線よりも、回転ドラム側にある場合には、先端チャック後端に作用する押付力の分力が、印刷版を弛ませる方向へ作用することになる。このため、回転ドラムに密着保持されている印刷版に弛みが発生し、印刷版に記録される画像の焦点ボケの原因となる。また、印刷版の先端が回転ドラム周方向へ移動するため、予め印刷版に設定された基準位置に対して、印刷版に記録される画像の位置がずれる。このため、鮮明な画像が得られない場合が生じる。
【０００８】
一方、先端チャックの回転支点が、先端チャック後端の印刷版保持位置における回転ドラムの接線よりも、反回転ドラム側にある場合には、遠心力により先端チャックの後端に作用する押付力の分力が、印刷版を位置決め部材に押し付ける向きに作用する。このため、印刷版が位置決め部材の周囲で回転ドラムから浮き上がり、印刷版に記録される画像の焦点ボケの原因となる。
【０００９】
【特許文献１】
特開２０００−１１２１４２号公報
【００１０】
【発明が解決しようとする課題】
本発明は、上記事実を考慮して、回転ドラムの回転時において、シート体が回転ドラム周方向に移動することが防止され、且つ、シート体の回転ドラム外周面からの浮き上がりが防止されるシート体保持装置を得ることが目的である。
【００１１】
【課題を解決するための手段】
上記目的を達成するために、請求項１記載の発明に係るシート体保持装置は、シート体が巻き付けられる回転ドラムの外周面に支軸を支点として回転可能に支持され、常に前記回転ドラム側へ付勢された一端部が前記シート体の端部を前記回転ドラムの外周面に押し付けて保持するシート体保持装置において、前記回転ドラム回転時における前記一端部による前記シート体の前記押付力をＦとし、前記押付力Ｆの前記回転ドラム接線方向に向いた分力をＦ１とし、前記押付力Ｆの前記回転ドラム軸心に向いた分力をＦ２とし、前記シート体と前記回転ドラム外周面との摩擦係数をμとするとき、Ｆ１＜（Ｆ２×μ）の関係が成り立つ位置に、前記支軸を配置した、ことを特徴としている。
【００１２】
請求項１に記載のシート体保持装置では、常に回転ドラム側へ付勢された一端部が、シート体の端部を回転ドラムの外周面に押し付けて保持する。そして、このシート体が回転ドラムに巻き付けられた状態で回転ドラムが回転される。
【００１３】
ここで、回転ドラム回転時における一端部によるシート体の押付力をＦとし、押付力Ｆの回転ドラム接線方向に向いた分力をＦ１とし、押付力Ｆの回転ドラム軸心に向いた分力をＦ２とし、シート体と回転ドラム外周面との摩擦係数をμとするとき、Ｆ１＜（Ｆ２×μ）の関係が成り立つ位置に、支軸が配置されている。
【００１４】
すなわち、シート体を回転ドラム周方向へ移動させる力（Ｆ１）よりも、シート体と回転ドラム外周面との間の摩擦力（Ｆ２×μ）の方が大きくなる位置に支軸が配置されている。
【００１５】
これにより、シート体が回転ドラム周方向に移動することが防止され、シート体が回転ドラム周方向に移動することに起因するシート体の回転ドラム外周面からの浮き上がりが防止される。
【００１６】
このように、請求項１記載のシート体保持装置では、回転ドラムの回転時において、シート体が回転ドラム周方向に移動することが防止され、且つ、シート体の回転ドラム外周面からの浮き上がりが防止される。
【００１７】
請求項２記載の発明に係るシート体保持装置は、請求項１記載のシート体固定装置において、前記支軸を、前記シート体の前記押付位置における前記回転ドラムの接線上に配置した、ことを特徴としている。
【００１８】
請求項２記載のシート体保持装置では、支軸が、シート体の押付位置における回転ドラムの接線上に配置されている。したがって、回転ドラム回転時において、一端部によるシート体の押付力Ｆは、回転ドラムの軸心方向とほぼ同一方向に向かって作用する（シート体の厚さ分のみ若干方向がずれる）。すなわち、押付力Ｆの回転ドラム接線方向に向いた分力Ｆ１（シート体を回転ドラム周方向へ移動させる力）が僅かしか生じない構成とされている。
【００１９】
これにより、シート体が回転ドラム周方向に移動することが確実に防止され、シート体が回転ドラム周方向に移動することに起因するシート体の回転ドラム外周面からの浮き上がりも確実に防止される。
【００２０】
【発明の実施の形態】
図５には、本発明のシート体保持装置７０が適用されて構成された実施の形態に係る印刷版自動露光装置１０が側面図により示されている。
【００２１】
本実施の形態に係る印刷版自動露光装置１０は、シート体としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８とが配置されると共に、パンチ部１６の下方に露光部１８が配置されている。
【００２２】
搬送ガイドユニット１４は、略四角形平板状の給版ガイド２０と、略四角形平板状の排版ガイド２２と、を有しており、給版ガイド２０と排版ガイド２２とは互いの相対関係位置が横Ｖ字型とされている。搬送ガイドユニット１４は、図５の右端部側を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００２３】
ここで、排版ガイドユニット１４が回動されて給版ガイド２０がパンチ部１６に対応（対向）されることで、給版ガイド２０上の印刷版１２の先端部がパンチ部１６内に搬送されて、パンチ部１６によって印刷版１２の先端部に例えば円孔と長孔等の所定数のパンチ孔（図示省略）が穿孔される。パンチ部１６での処理が終了すると、印刷版１２が給版ガイド２０上へ戻される。
【００２４】
露光部１８は、回転ドラム２４を備えている。回転ドラム２４は円柱状とされると共に中心軸２６を有しており、中心軸２６が互いに対向する一対の支持板２８（図４参照）に支持されることで、図５の矢印Ａ方向及び図５の矢印Ｂ方向へ回転可能とされている。ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の外周面上に印刷版１２の先端が搬送される。
【００２５】
回転ドラム２４の外周面には、印刷版１２の先端が搬送される位置において、シート体保持装置７０としての略板状の先端チャック３０が所定数（本実施の形態では１１個）設けられており、所定数の先端チャック３０は回転ドラム２４の左右方向に沿って配置されている。
【００２６】
図３に示す如く、先端チャック３０の左右方向両側には支持部材３２が配置されており、各支持部材３２は回転ドラム２４の外周面にボルト３３により固定されている。先端チャック３０の後側部位には、シート体保持装置７０の構成部材である円柱状の支軸３４が固定されており、支軸３４が各支持部材３２に支持されることで、先端チャック３０が回転ドラム２４の外周面に支軸３４を支点として回転可能に支持されている。また、先端チャック３０前側部位の反回転ドラム２４側の面には円形状の孔である押圧凹部３６が形成されている。
【００２７】
先端チャック３０の後端部位には、先端チャック３０の左右方向全体に渡って回転ドラム２４側へ突出した咥部３５が形成されている。図１に示す如く、咥部３５の先端は円弧状に形成されており、先端チャック３０が支軸３４を支点として回転することで、咥部３５が回転ドラム２４に接離移動可能とされている。
【００２８】
また、各支持部材３２と各先端チャック３０との間には、捩りコイルスプリング３７が掛け渡されており、この捩りコイルスプリング３７の付勢力によって、先端チャック３０の前側が、回転ドラム２４の外周面から離間される方向へ付勢されている。このため、先端チャック３０の咥部３５は、常に回転ドラム２４側へ付勢されている。
【００２９】
この先端チャック３０は、後述する昇降部材４２に固定された解除ピン５４により上記押圧凹部３６を回転ドラム２４側へ押圧されることで、咥部３５が回転ドラム２４外周面から離間移動するようになっている。この咥部３５が回転ドラム２４から離間移動された状態で、上記給版ガイド２０から、印刷版１２の先端が咥部３５と回転ドラム２４の外周面との間に搬送される。そして、解除ピン５４による押圧が解除されることで、咥部３５が捩りコイルスプリング３７の付勢力により、印刷版１２を回転ドラム２４の外周面に押し付け、印刷版１２の先端を回転ドラム２４の外周面に保持する構成である。
【００３０】
なお、この先端チャック３０の咥部３５による印刷版１２の押付力は、回転ドラム２４静止時においては、捩りコイルスプリング３７の付勢力による直接的な押付力のみが作用する。一方、回転ドラム２４の回転時においては、先端チャック３０の咥部３５に保持された印刷版１２には、先端チャック３０の咥部３５から、上記捩りコイルスプリング３７の付勢力による直接的な押付力と、遠心力により咥部３５に発生する力の合力（以下、「押付力Ｆ」という）が作用する。
【００３１】
ここで、図１に示す如く、支軸３４の中心は、先端チャック３０の咥部３５が印刷版１２の先端を押し付けて保持する位置（以下、「押付位置Ｐ」という）における回転ドラム２４の接線Ｔ上に配置されている。このため、回転ドラム２４の回転時において、先端チャック３０の咥部３５から印刷版１２に作用する押付力Ｆは、回転ドラム２４の軸心方向とほぼ同一方向に向かって作用するようになっている（印刷版１２の厚さ分のみ若干方向がずれる）。
【００３２】
ところで、この支軸３４は、押付力Ｆの回転ドラム２４接線Ｔ方向に向いた分力をＦ１とし、押付力Ｆの回転ドラム２４軸心に向いた分力をＦ２とし、印刷版１２の裏面（回転ドラム２４に接する面）と回転ドラム２４外周面との摩擦係数をμとするとき、
Ｆ１＜（Ｆ２×μ）…▲１▼
の関係が成り立つ位置に、配置されている。
【００３３】
すなわち、「押付位置Ｐ」における回転ドラム２４の接線Ｔに対して先端チャック３０の回転中心（支軸３４の中心）と先端チャック３０の「押付位置Ｐ」とを結ぶ直線のなす角度をθとすると、
Ｆ１＝Ｆ×ｓｉｎθ、  Ｆ２＝Ｆ×ｃｏｓθ、
であるので、前記▲１▼の式に代入すると、
Ｆ×ｓｉｎθ＜（Ｆ×ｃｏｓθ×μ）
となり、したがって、前記▲１▼の式は
ｔａｎθ  ＜  μ  …▲２▼
という式に置き換えられる。
【００３４】
前記▲１▼の式と前記▲２▼の式は等価であり、前記▲２▼の式が成り立つ位置に、支軸３４が配置されている。
【００３５】
ここで、本実施の形態においては、印刷版１２の裏面と回転ドラム２４の外周面との摩擦係数μは、例えば、０．２７に設定されており（一般に、例えば、０．３程度とされる）、この場合には、例えば、−１５°＜θ＜１５°の範囲内に支軸３４の中心（先端チャック３０の回転中心）を配置すればよい。
【００３６】
本実施の形態においては、支軸３４が「押付位置Ｐ」における回転ドラム２４の接線Ｔ上に配置されているため、θは、ほぼ０°に設定されており（印刷版１２の厚さ分のみ角度がついている）、前記▲２▼の式が成立する。したがって、本実施の形態に係るシート体保持装置７０においては、Ｆ１＜（Ｆ２×μ）の関係が成り立つ位置に、支軸３４が配置されている。
【００３７】
一方、図４に示す如く、回転ドラム２４の上方には、円軸状のカム軸３８が設けられており、カム軸３８は一対の支持板２８の間に回転可能に支持されている。カム軸３８の両端近傍には昇降カム４０が固定されており、各昇降カム４０は、円盤状とされて、中心の真上にカム軸３８の中心が配置されている。
【００３８】
カム軸３８の下方には、上述した昇降部材４２が設けられている。昇降部材４２の左右方向両端上部には断面Ｕ字状の駆動フレーム４４が固定されており、各駆動フレーム４４の内部には円盤状の駆動盤４６が回転自在に支持されている。各駆動フレーム４４と各支持板２８との間には引張コイルスプリング４８が架け渡されており、各引張コイルスプリング４８の付勢力によって各駆動フレーム４４が上方へ付勢されることで、各駆動盤４６の上端が各昇降カム４０の下端に当接している。
【００３９】
昇降部材４２の左右方向両端には案内板５０が固定される一方、各支持板２８には案内溝５２が設けられており、各案内板５０は各案内溝５２に部分的に嵌入されている。ここで、カム軸３８が回転されて、各昇降カム４０が中心の真下にカム軸３８の中心が配置される回転位置に回転される際には、各引張コイルスプリング４８の付勢力によって各駆動盤４６の上端が各昇降カム４０の下端に当接しつつ昇降部材４２が回転ドラム２４の外周面から離間される。また、この状態からカム軸３８が回転されて、各昇降カム４０が中心の真上にカム軸３８の中心が配置される回転位置に回転される（戻される）際には、各昇降カム４０に各駆動盤４６が押圧されて、各引張コイルスプリング４８の付勢力に抗して各駆動フレーム４４が下降されることで、各案内板５０が各案内溝５２に案内されつつ昇降部材４２が回転ドラム２４の外周面に接近される。
【００４０】
昇降部材４２の下部には、上述した円柱棒状の解除ピン５４が所定数（本実施の形態では１１個）固定されている。各解除ピン５４の下端は、各先端チャック３０の押圧凹部３６に挿入されて、各先端チャック３０の前側を押圧しており、このため、各先端チャックの咥部３５が捩りコイルスプリング３７の付勢力に抗して回転ドラム２４の外周面から離間している。これにより、上述の如く給版ガイド２０から回転ドラム２４の外周面に搬送される印刷版１２の先端が各先端チャック３０の咥部３５と回転ドラム２４の外周面との間に搬送される。
【００４１】
各先端チャック３０の咥部３５と回転ドラム２４の外周面との間に搬送された印刷版１２は、隣合う先端チャック３０の間（本実施の形態では、図４において、回転ドラム２４の右側から数えて４番目と５番目の先端チャック３０の間、および、７番目と８番目の先端チャック３０の間）における回転ドラム２４の外周面に所定数（本実施の形態では２個）固定された位置決めピン６０に、先端が突き当たることで位置決めされる。
【００４２】
上記印刷版１２の位置決めが終了した後には、カム軸３８が回転されて、昇降部材４２が回転ドラム２４の外周面から離間されることで、各解除ピン５４が各先端チャック３０の押圧凹部３６から離間して、各解除ピン５４による各先端チャック３０の押圧が解除される。これにより、所定数の先端チャック３０の咥部３５が、捩りコイルスプリング３７の付勢力により印刷版１２の先端の略全体を回転ドラム２４の外周面に押し付けることで、回転ドラム２４の外周面と先端チャック３０との間に印刷版１２の先端が挟持されて保持される。
【００４３】
そして、回転ドラム２４が図５の矢印Ａ方向に回転されて、印刷版１２が回転ドラム２４の外周面に巻き付けられる。
【００４４】
図５に示す如く、回転ドラム２４の外周面近傍には、昇降部材４２よりも図５の矢印Ａ方向側において、円柱状のスクイズローラ５５が配設されている。スクイズローラ５５は、回転ドラム２４側へ移動されることで、回転ドラム２４に巻き付けられる印刷版１２を回転ドラム２４へ向けて押圧しつつ回転され、印刷版１２を回転ドラム２４の外周面に密着させる。
【００４５】
また、回転ドラム２４の外周面近傍には、昇降部材４２よりも図５の矢印Ｂ方向側において、後端チャック着脱ユニット５６が配設されている。後端チャック着脱ユニット５６は回転ドラム２４へ向けて移動可能とされている。後端チャック着脱ユニット５６には、板状の後端チャック５７が所定数装着されており、所定数の後端チャック５７は左右方向に沿って配置されている。
【００４６】
ここで、回転ドラム２４に巻き付けた印刷版１２の後端が後端チャック着脱ユニット５６に対向すると、後端チャック着脱ユニット５６が下降されて各後端チャック５７が回転ドラム２４側へ移動されることで、各後端チャック５７が回転ドラム２４の外周面に装着される。これにより、所定数の後端チャック５７の前端が印刷版１２の後端の略全体を回転ドラム２４の外周面に押し付けることで、回転ドラム２４の外周面に印刷版１２の後端が保持される。また、各後端チャック５７が回転ドラム２４の外周面に装着されるのと同時に後端チャック着脱ユニット５６から各後端チャック５７が離脱され、その後、後端チャック着脱ユニット５７が原点位置へ上昇される。
【００４７】
このように、各先端チャック３０及び各後端チャック５７によって印刷版１２の先端及び後端が回転ドラム２４の外周面に保持されると、スクイズローラ５５が回転ドラム２４から離間された後に、回転ドラム２４が所定の回転速度で高速回転される。
【００４８】
ここで、回転ドラム２４の高速回転により、先端チャック３０の咥部３５に保持された印刷版１２には、先端チャック３０の咥部３５から押付力Ｆが作用する。この咥部３５の押付力Ｆは、上述したように支軸３４の中心が「押付位置Ｐ」における回転ドラム２４の接線Ｔ上に配置されているため、回転ドラム２４の軸心方向とほぼ同一方向に向かって作用する。
【００４９】
一方、回転ドラム２４が高速回転されると、印刷版１２に画像を記録する露光処理が実施される。すなわち、図５に示す如く、回転ドラム２４の外周面の後方近傍には、記録ヘッド５８が配置されており、記録ヘッド５８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド５８を回転ドラム２４の軸方向へ移動させる（副走査）、所謂走査露光である。
【００５０】
印刷版１２への露光処理が終了すると、各後端チャック５７が後端チャック着脱ユニット５６に対向する位置で回転ドラム２４が一時停止されて、後端チャック着脱ユニット５６が回転ドラム２４側へ下降されることで、各後端チャック５７の回転ドラム２４外周面への装着が解除されて各後端チャック５７の前端による印刷版１２後端の保持が解除される。また、これと同時に後端チャック着脱ユニット５６に各後端チャック５７が装着され、その後、後端チャック着脱ユニット５６が原点位置へ上昇される。さらに、搬送ガイドユニット１４が回動されて排版ガイド２２が露光部１８に対応された（回転ドラム２４の接線方向に対向された）後、回転ドラム２４が図５の矢印Ｂの方向へ回転されることで、印刷版１２が後端側から排版ガイド２２上へ排出される。
【００５１】
この際、各解除ピン５４が各先端チャック３０に対向する位置で回転ドラム２４が一時停止され、カム軸３８が回転されて、図５に示す如く昇降部材４２が回転ドラム２４の外周面に接近されることで、各解除ピン５４の下端が各先端チャック３０の押圧凹部３６に挿入される。このため、各解除ピン５４に各先端チャック３０の前端が押圧されて各先端チャック３０の咥部３５が回転ドラム２４の外周面から離間されることで、各先端チャック３０の咥部３５による印刷版１２先端の保持が解除される。
【００５２】
印刷版１２が排版ガイド２２へ排出されると、搬送ガイドユニット１４が回動されて、排版ガイド２２から印刷版１２が排出される。これにより、印刷版１２が印刷版自動露光装置１０に隣接する次工程の現像装置または印刷装置（図示省略）へ搬送される構成である。
【００５３】
次に、本発明の実施の形態の作用について説明する。
【００５４】
上記構成の印刷版自動露光装置１０では、印刷版１２が給版ガイド２０に載置されると、搬送ガイドユニット１４が回動されて給版ガイド２０がパンチ部１６に対応されることで、印刷版１２の先端部がパンチ部１６内に搬送される。パンチ部１６内に搬送された印刷版１２は、先端部にパンチ部１６により所定数のパンチが穿孔された後、給版ガイド２０上に戻される。
【００５５】
さらに、搬送ガイドユニット１４が回動されて給版ガイド２０が露光部１８に対応されることで、印刷版１２が露光部１８へ搬送される。そして、印刷版１２の先端が回転ドラム２４の外周面と先端チャック３０の咥部３５との間に搬送され、印刷版１２の先端が位置決めピン６０に突き当たることで印刷版１２が位置決めされる。
【００５６】
印刷版１２の先端が位置決めされたことが確認されると、昇降部材４２が回転ドラム２４から離間移動され、解除ピン５４による先端チャック３０の押圧が解除される。このため、印刷版１２の先端が先端チャック３０の咥部３５により回転ドラム２４の外周面に押し付けられて保持される。
【００５７】
そして、回転ドラム２４が図５の矢印Ａ方向へ回転されて、印刷版１２がスクイズローラ５５により回転ドラム２４の外周面に密着されつつ回転ドラム２４の外周面に巻き付けられる。そして、印刷版１２の後端部が後端チャック５７により回転ドラム２４の外周面に保持される。
【００５８】
回転ドラム２４の外周面への印刷版１２の保持が完了すると、回転ドラム２４が高速回転された状態で、記録ヘッド５８から光ビームが印刷版１２へ照射されることで、露光処理が行われる。
【００５９】
ここで、従来においては、図２（Ｂ）に示すシート体保持装置１００の如く、例えば、「押付位置Ｐ」における回転ドラム２４の接線Ｔよりも反回転ドラム２４側に、先端チャック１０２の支軸１０４が配置されていた。しかも、この支軸１０４は、回転ドラム２４回転時における先端チャック１０２の咥部１０６による印刷版１２の押付力をＦとし、押付力Ｆの回転ドラム２４接線Ｔ方向に向いた分力をＦ１とし、押付力Ｆの回転ドラム２４軸心に向いた分力をＦ２とし、印刷版１２と回転ドラム２４との摩擦係数をμとし、接線Ｔに対して支軸１０４の中心と「押付位置Ｐ」とを結ぶ直線のなす角度をθとするとき、Ｆ１が（Ｆ２×μ）よりも大きくなる位置に、配置されていた。（例えば、上記摩擦係数μが０．２７、上記角度θが４５°に設定されていた。）
したがって、回転ドラム２４回転時において、印刷版１２の先端には、印刷版１２の裏面と回転ドラム２４の外周面との間の摩擦力（Ｆ２×μ）よりも、印刷版１２を回転ドラム２４周方向へ移動させる力（Ｆ１）の方が大きく作用し、しかも、この分力Ｆ１の作用方向は、印刷版１２の先端を位置決めピン６０（図２（Ｂ）では図示省略）に押し付ける向き（図２（Ｂ）におけるＦ１の矢印方向）に作用していた。
【００６０】
このため、印刷版１２の先端が位置決めピン６０に押し付けられ、位置決めピン６０の周囲で印刷版１２の先端が回転ドラム２４から浮き上がり、印刷版１２に記録される画像が焦点ボケになる原因となっていた。
【００６１】
また、従来においては、先端チャックの支軸が、例えば、「押付位置Ｐ」における回転ドラム２４の接線Ｔよりも回転ドラム２４側に配置され、しかも、この支軸は、Ｆ１が（Ｆ２×μ）よりも大きくなる位置に配置されている場合もあった。この場合には、押付力Ｆの回転ドラム２４接線Ｔ方向に向いた分力Ｆ１（印刷版１２を回転ドラム２４周方向へ移動させる力）が、印刷版１２を弛ませる方向（図２（Ｂ）のＦ１とは反対方向）に作用するため、回転ドラム２４に密着された印刷版１２に弛みが生じて、印刷版１２に記録される画像が焦点ボケになる原因となっていた。
【００６２】
これに対し、本実施の形態に係るシート体保持装置７０においては、図２（Ａ）に示す如く、先端チャック３０の支軸３４が印刷版１２の「押付位置Ｐ」における回転ドラム２４の接線Ｔ上（Ｆ１＜（Ｆ２×μ）が成り立つ位置）に配置されている。
【００６３】
したがって、回転ドラム２４の高速回転時において、先端チャック３０の咥部３５による印刷版１２の押付力Ｆは、回転ドラム２４の軸心方向とほぼ同一方向に向かって作用する（回転ドラム２４の軸心方向に向いた分力Ｆ２とほぼ同じ方向に、ほぼ同じ大きさで作用する）。すなわち、押付力Ｆの回転ドラム２４接線Ｔ方向に向いた分力Ｆ１（印刷版１２を回転ドラム２４周方向へ移動させる力）は僅かしか作用しない（ほぼ０に等しい）。このため、印刷版１２が先端チャック３０の咥部３５により回転ドラム２４周方向に移動されることが確実に防止される。
【００６４】
これにより、露光処理中に、印刷版１２の先端が位置決めピン６０側へ移動することが防止されるので、印刷版１２が位置決めピン６０に押し付けられて、位置決めピン６０の周囲で回転ドラム２４から浮き上がり、印刷版１２に記録される画像の焦点がボケることが防止される。
【００６５】
また、印刷版１２に弛みが生じる方向に印刷版１２の先端が移動することもないので、回転ドラム２４に密着された印刷版１２に弛みが生じて印刷版１２に記録される画像が焦点ボケになることが防止され、印刷版１２に鮮明な画像が記録される。
【００６６】
さらに、印刷版１２の先端が回転ドラム２４周方向へ移動することがないため、予め印刷版１２の先端部に穿孔されたパンチ孔等の基準位置に対して、記録される画像の位置がずれることを防止できる。
【００６７】
一方、記録ヘッド５８による印刷版１２の露光処理が終了すると、後端チャック着脱ユニット５６により各後端チャック５７の回転ドラム２４外周面への装着が解除され、印刷版１２が後端側から排出ガイド２２上へ排出される。
【００６８】
この際、各解除ピン５４が各先端チャック３０に対向する位置で回転ドラム２４が一時停止され、各解除ピン５４により各先端チャック３０の咥部３５による印刷版１２先端の保持が解除される。
【００６９】
印刷版１２が排版ガイド２２へ排出されると、搬送ガイドユニット１４が回動されて、排版ガイド２２から印刷版１２が排出される。これにより、印刷版１２が印刷版自動露光装置１０に隣接する次工程の現像装置または印刷装置（図示省略）へ搬送される。
【００７０】
このように、上記構成のシート体保持装置７０では、印刷版１２が回転ドラム２４周方向に移動することが防止され、印刷版１２が回転ドラム２４周方向に移動することに起因する印刷版１２の回転ドラム２４外周面からの浮き上がりが防止される。
【００７１】
なお、上記実施の形態に係るシート体保持装置７０の如く、支軸３４を、「押付位置Ｐ」における回転ドラム２４の接線Ｔ上に配置する構成は、先端チャック３０の咥部３５を弓状（クラウン状）に形成するなどして、回転ドラム２４回転時に、遠心力により先端チャック３０が微小量回転する機構のときに特に効果がある。
【００７２】
【発明の効果】
以上説明したように、本発明のシート体保持装置によれば、シート体が回転ドラム周方向に移動することが防止され、且つ、シート体の回転ドラム外周面からの浮き上がりが防止される。
【図面の簡単な説明】
【図１】本発明の実施の形態に係るシート体保持装置の構成を示す側面図である。
【図２】本発明の実施の形態に係るシート体保持装置と従来のシート体保持装置との比較を示し、（Ａ）は、本実施の形態に係るシート体保持装置におけるシート体押付力の作用方向を示す側面図であり、（Ｂ）は、従来のシート体保持装置におけるシート体押付力の作用方向を示す側面図である。
【図３】本発明の実施の形態に係るシート体保持装置の構成を示す斜視図である。
【図４】本発明の実施の形態に係る印刷版自動露光装置における露光部の主要部の構成を示す斜視図である。
【図５】本発明の実施の形態に係る印刷版自動露光装置の構成を示す概略的な側面図である。
【符号の説明】
１０          印刷版自動露光装置
１２            印刷版（シート体）
２４            回転ドラム
３０            先端チャック（シート体保持装置）
４２            支軸（シート体保持装置）
【図１】
2004315134.tif 000003
【図２】
2004315134.tif 000004
【図３】
2004315134.tif 000005
【図４】
2004315134.tif 000006
【図５】
2004315134.tif 000007